(57)【要約】【課題】  内部に水が溜まることなく、また装置が破損される恐れも少ない、長時間入浴してものぼせることなく快適に過ごすことができる送風装置を提供する。【解決手段】  浴室の壁面４に本体ケース６を浴室内に突出して取り付け、本体ケース内のファン１６を駆動して、本体ケース内６に浴室内の空気を吸い込んで排気口１３から入浴者に向けて排気すると共に、前記本体ケースの上面を浴室内に向かって下る傾斜面１８とし、且つ本体ケースの底面に水抜き穴１９を形成する。排気口１３を本体ケース６の側面に設け、本体ケースの底面を浴室壁面に向かって下る傾斜面２１とすると共に、水抜き穴２２を本体ケースの上面にも設ける。【選択図】    図６
2005098646.tif 000002
【特許請求の範囲】
【請求項１】
浴室の壁面に浴室内に突出して取り付けられる本体ケースと、該本体ケース内に設けられるファンを有し、該ファンの駆動にて前記本体ケース内に浴室内の空気を吸い込んで排気口から浴室内に排気すると共に、前記本体ケースの上面を浴室内に向かって下る傾斜面とし、且つ前記本体ケースの底面に水抜き穴を形成した浴室用送風装置。
【請求項２】
前記排気口を本体ケースの側面に設け、前記本体ケースの底面を浴室壁面に向かって下る傾斜面とすると共に、水抜き穴を本体ケースの上面にも設けたことを特徴とする請求項１に記載の浴室用送風装置。
【請求項３】
前記本体ケースを、浴室壁面側を開口する正面ケースと、該開口を覆う背面板とで構成し、前記正面ケースの裏面に前記ファンの周囲を囲むファンケーシングを一体に形成したことを特徴とする請求項１又は請求項２に記載の浴室用送風装置。
【請求項４】
前記正面ケースに、前記ファンケーシング内と連通する格子状の吸気口を形成したことを特徴とする請求項３に記載の浴室用送風装置。
【請求項５】
前記ファンケーシングの上部と下部に水抜き穴を形成したことを特徴とする請求項３に記載の浴室用送風装置。
【発明の詳細な説明】
【技術分野】
【０００１】
本発明は、浴室内でのぼせることなく長時間快適に過ごすことができるための送風装置に関する。
【背景技術】
【０００２】
従来、この種の送風装置として、天井面に取り付けられ、内蔵するファンを駆動することで、ダクトを介して外気又は浴室外の部屋の空気を吸い込み、浴槽に入った人の頭や顔に向けて送風してのぼせを防止し、長時間快適に過ごせるようにしたものが知られている。（特許文献１）
【特許文献１】実開平７−１０２６４号全文明細書並びに図面
【発明の開示】
【発明が解決しようとする課題】
【０００３】
しかしながら、この特許文献に記載のものは、送風装置が入浴者から離れているため、送風された空気が拡散されてしまい充分な風量を入浴者に当てることができないという問題がある。充分な風量の空気を入浴者に当てようとすると、装置の大型化が必要となり、コストが高くなる。
【０００４】
この点を解消するのに、浴槽の近くに送風装置を設ければよいが、内部に水が浸入し易くなり、また、浴槽から出るとき等の支えとして装置に手が掛けられて力が加えられ易くなり、破損される危険性が生じる。
【０００５】
本発明の目的は、装置を大型にすることなく、また装置内に水が溜まることなく、また装置が破損される危険性も少ない、長時間入浴しても快適に過ごすことができる送風装置を提供することである。
【課題を解決するための手段】
【０００６】
上記課題を解決するために本発明は、浴室の壁面に浴室内に突出して取り付けられる本体ケースと、該本体ケース内に設けられるファンを有し、該ファンの駆動にて前記本体ケース内に浴室内の空気を吸い込んで排気口から浴室内に排気すると共に、前記本体ケースの上面を浴室内に向かって下る傾斜面とし、且つ前記本体ケースの底面に水抜き穴を形成したものである。
【０００７】
さらに本発明は、前記排気口を本体ケースの側面に設け、前記本体ケースの底面を浴室壁面に向かって下る傾斜面とすると共に、水抜き穴を本体ケースの上面にも設けるのが好ましい。
【０００８】
また本体ケースを、浴室壁面側を開口する正面ケースと、該開口を覆う背面板とで構成し、前記正面ケースの裏面に前記ファンの周囲を囲むファンケーシングを一体に形成するのが好ましい。
【０００９】
また前記正面ケースに、前記ファンケーシング内と連通する格子状の吸気口を形成するのが好ましい。
【発明の効果】
【００１０】
本発明によれば、送風装置を浴槽の近くに設置したとしても、本体ケースの上面が傾斜面になっているのでこの上面に手を掛け難くなり、従って本体ケースに人体からの荷重が加えられ難くなり、破損される危険性を減少できる。そして、本体ケース内に水が浸入したり結露しても、水抜き穴から排水することができ、本体ケース内での雑菌の繁殖を防止できる。また浴室外の空気と違って浴室内の空気を吸い込んで入浴者に送風するので、寒さを感じることなく、快適に長時間浴槽で過ごすことができる。
【００１１】
さらに排気口を本体ケースの側面に設け、前記本体ケースの底面を浴室壁面に向かって下る傾斜面とすると共に、水抜き穴を本体ケースの上面にも設けることにより、浴槽に対して送風機を左右反転して設置する場合でも、本体ケースの底面の傾斜面が上方側に位置し、本体ケースの上面の水抜き穴が下方側に位置するので、やはり装置の上面に手を掛け難く、本体ケースの破損を防止できると共に、内部に水が溜まるのを防止でき、使い勝手を向上できる。
【００１２】
また本体ケースを、浴室壁面側を開口する正面ケースと、この開口を覆う背面板とで構成し、正面ケースの裏面にファンケーシングを一体に形成すれば、部品点数を削減でき製造コストを低減できると共に、本体ケースをファンケーシングにて補強して強度アップでき、本体ケースに万一手が掛けられた場合でも、本体ケースの破損をより確実に防止できる。
【００１３】
また正面ケースに、ファンケーシング内と連通する格子状の吸気口を形成すれば、浴槽の近くに装置を設置しても吸気口から手が挿入されるのを防止できる。
【発明を実施するための最良の形態】
【００１４】
以下、本発明の送風装置を図に基づき説明する。図１は、浴室１内の様子を示し、湯２を張った浴槽３内に入浴者Ｍが横たわっているところで、浴槽３の近くの浴室壁面４に、本発明の送風装置５が取付けられている。
【００１５】
送風装置５は、図３乃至図６に示すように、浴室１の壁面４に浴室内に突出して取り付けられる本体ケース６と、本体ケース６の背面側に浴室外に突出して取付けられた電装カバー７を具える。本体ケース６は、浴室壁面４側を開口する正面ケース８と、該開口を覆う背面板９とで構成され、背面板９の周囲が、図示しないネジにより、浴室壁面４に取付けられている。背面板９の後方に取り付けられた前記電装カバー７は、浴室壁面４に設けた開口１０より浴室外に突出されている。
【００１６】
正面ケース８は合成樹脂製で正面視矩形状をしており、その中央部には、円形の吸気口１１が形成されている。吸気口１１は、格子状のカバー１２で覆われ、内部に手が挿入されないようしている。正面ケース８の側面には、矩形状の排気口１３が形成され、この排気口１３には風向きを変更するためのルーバー１４が取り付けられている。正面ケース８は、背面板９に適宜係合手段で装着されている。
【００１７】
本体ケース６内には、モータ１５により駆動されるファン（シロッコファン）１６が内蔵されている。モータ１５は、背面板９の後側に取付けられ、モータ軸が背面板９より突出してその先端にファン１６が固定される。正面ケース８の裏面には、ファン１６の周囲を囲む渦巻き状のファンケーシング１７が一体に形成されている。ファン１６が回転することにより、正面の吸気口１１から浴室１内の空気を本体ケース６内に吸引して、ファンケーシング１７により吸引した空気を側面の排気口１３へと案内し、そこから浴室１内に排気する。
【００１８】
而して本体ケース６の上面即ち正面ケース８の上面は、図４から明らかなように、浴室１内に向かって低くなる傾斜面１８となっている。また正面ケース８の最下部と、ファンケーシング１７の最下部には、水抜き穴１９、２０が形成されている。また、本体ケース６の底面即ち正面ケース８の底面は、浴室壁面４に向かって低くなる傾斜面２１となっており、正面ケース８の最上部とファンケーシング１７の最上部にも水抜き穴２２、２３が形成されている。
【００１９】
かかる構成の送風装置５は、通常図１のように、正面ケース８の傾斜面１８が上方になるよう浴室壁面４に装着される。そして正面ケース側面の排気口１３から排気される風を矢印のように入浴者Ｍの頭や顔に当てることにより、長時間入浴してものぼせることがないようにする。ここで入浴者に当てる風は、浴室１外の空気と違って浴室１内の空気なので、寒さを感じることなく、快適に長時間浴槽で過ごすことができる。
【００２０】
入浴者Ｍが浴槽３から立ち上がる際に、支えとして本体ケース６の上面１８に手を掛けようとしても、本体ケースの上面が傾斜面１８となっているので、手を掛けることができない。従って、本体ケース６に人の荷重が加わることがなく、送風装置５が破損される心配がない。仮に手を掛けられても傾斜面１８となっているので大きな荷重は加わりにくい。
【００２１】
特に図のように正面ケース８の裏面にファンケーシング１７を一体に形成すれば、正面ケース８をファンケーシング１７にて補強して強度アップでき、正面ケース８即ち本体ケース６に万一手が掛けられた場合でも、本体ケース６の破損をより確実に防止できる。
【００２２】
また本体ケース６内にシャワーなどにより水が浸入しても、あるいは、本体ケース内に結露水が発生しても、水抜き穴１９、２０から排水され、内部に溜まることがなく、雑菌の繁殖を防止できる。Ｗは、排水される水滴を示している。
【００２３】
ところで浴槽３のヘッドレスト２５の位置が、図２の如く図１とは反対方向にある場合等には、送風装置５を左右反対にして取付けた方が好ましい。そこで図２のように左右反対に取付けた場合、排気口１３の向きも反対になって入浴者Ｍの顔や頭に風を当てることができる。また、図１の状態では下方になっていた正面ケース８の傾斜面２１が上方にくると共に、最上位に位置していた水抜き穴２２、２３も最下部に位置する。
【００２４】
従って、図１の場合と同様に、入浴者が浴槽３から立ち上がる際に、本体ケース６の上面に手を掛けようとしても傾斜面２１となっているので、手を掛けられず、送風装置が破損される心配がない。また本体ケース６内に水が浸入しても、あるいは、本体ケース６内に結露水が発生しても、水抜き穴２２、２３から排水され、内部に溜まることがなく、雑菌の繁殖を防止できる。
【００２５】
このように送風装置の取付方向に自由度を持たせることが出来るので、使い勝手の良いものとなる。
【産業上の利用可能性】
【００２６】
本発明の活用例として、ユニットバスに用いて活用することができる。
【図面の簡単な説明】
【００２７】
【図１】本発明の送風装置を取付けた浴室の様子を示す模式図である。
【図２】同送風装置を左右反転して取付けた浴室の様子を示す模式図である。
【図３】同送風装置の図１の状態における正面図である。
【図４】同送風装置の図１の状態における側面図である。
【図５】同送風装置の図１の状態における一部断面した正面図である。
【図６】同送風装置の図１の状態における一部断面した側面図である。
【図７】同送風装置の図２の状態における一部断面した正面図である。
【図８】同送風装置の図２の状態における一部断面した側面図である。
【符号の説明】
【００２８】
４    浴室壁面
６    本体ケース
１６  ファン
１１  吸気口
１３  排気口
１８  傾斜面
２１  傾斜面
１９  水抜き穴
２０  水抜き穴
２２  水抜き穴
２３  水抜き穴
８    正面ケース
９    背面板
１７  ファンケーシング
【図１】
2005098646.tif 000003
【図２】
2005098646.tif 000004
【図３】
2005098646.tif 000005
【図４】
2005098646.tif 000006
【図５】
2005098646.tif 000007
【図６】
2005098646.tif 000008
【図７】
2005098646.tif 000009
【図８】
2005098646.tif 000010